(57)【要約】【課題】表示装置に対応するビット幅を考慮して画像のビット幅を変換する技術を提供する。【解決手段】表示装置に対応するビット幅を示す情報を取得するビット幅取得手段と、撮像手段により生成された画像データから得られる第１のビット幅を持つ第１の画像データに対して、前記表示装置のガンマ特性に対応する逆ガンマ補正であって、前記第１のビット幅を前記表示装置がサポートするビット幅に変換する逆ガンマ補正を行う表示ガンマ処理手段と、前記表示ガンマ処理手段により逆ガンマ補正された画像データを前記表示装置に出力する出力手段と、を備えることを特徴とする画像処理装置を提供する。【選択図】図１
2015122585.tif 000002
【特許請求の範囲】
【請求項１】
表示装置に対応するビット幅を示す情報を取得するビット幅取得手段と、
撮像手段により生成された画像データから得られる第１のビット幅を持つ第１の画像データに対して、前記表示装置のガンマ特性に対応する逆ガンマ補正であって、前記第１のビット幅を前記表示装置に対応するビット幅に変換する逆ガンマ補正を行う表示ガンマ処理手段と、
前記表示ガンマ処理手段により逆ガンマ補正された画像データを前記表示装置に出力する出力手段と、
を備えることを特徴とする画像処理装置。
【請求項２】
前記撮像手段により生成された画像データに対して、ガンマ補正を含む現像処理を行うことにより第２のビット幅を持つ第２の画像データを生成する現像手段と、
前記第２の画像データに対して、前記現像処理のガンマ補正に対応する逆ガンマ補正であって、前記第２のビット幅を前記第１のビット幅に変換する逆ガンマ補正を行うことにより前記第１の画像データを生成する逆現像ガンマ処理手段と、
を更に備えることを特徴とする請求項１に記載の画像処理装置。
【請求項３】
前記表示ガンマ処理手段による逆ガンマ補正の前に前記第１の画像データに対して色補正処理を行う表示色域処理手段を更に備え、
前記第１のビット幅は、前記第２のビット幅よりも大きい
ことを特徴とする請求項２に記載の画像処理装置。
【請求項４】
前記第１の画像データから部分画像データを取得する部分画像取得手段と、
前記部分画像データに対して、前記第１のビット幅を前記表示装置に対応するビット幅に変換するガンマカーブを用いるダイナミックレンジ拡大処理を行う拡大手段と、
前記表示ガンマ処理手段により逆ガンマ補正された画像データに対して、前記出力手段による出力前に、前記拡大手段によりダイナミックレンジ拡大処理された部分画像データを重畳する重畳手段と、
を更に備えることを特徴とする請求項１乃至３のいずれか１項に記載の画像処理装置。
【請求項５】
前記拡大手段は、前記部分画像データの輝度の平均値を中心としてダイナミックレンジを拡大する
ことを特徴とする請求項４に記載の画像処理装置。
【請求項６】
前記表示装置が複数のビット幅に対応する場合、前記表示ガンマ処理手段は、前記第１のビット幅を前記表示装置に対応するビット幅のうちの最大のビット幅に変換するように前記逆ガンマ補正を行う
ことを特徴とする請求項１乃至５のいずれか１項に記載の画像処理装置。
【請求項７】
請求項１乃至６のいずれか１項に記載の画像処理装置と、
前記撮像手段と、
を備えることを特徴とする撮像装置。
【請求項８】
画像処理装置による画像処理方法であって、
前記画像処理装置のビット幅取得手段が、表示装置に対応するビット幅を示す情報を取得するビット幅取得工程と、
前記画像処理装置の表示ガンマ処理手段が、撮像手段により生成された画像データから得られる第１のビット幅を持つ第１の画像データに対して、前記表示装置のガンマ特性に対応する逆ガンマ補正であって、前記第１のビット幅を前記表示装置に対応するビット幅に変換する逆ガンマ補正を行う表示ガンマ処理工程と、
前記画像処理装置の出力手段が、前記表示ガンマ処理工程により逆ガンマ補正された画像データを前記表示装置に出力する出力工程と、
を備えることを特徴とする画像処理方法。
【請求項９】
コンピュータを、請求項１乃至６のいずれか１項に記載の画像処理装置の各手段として機能させるためのプログラム。
【発明の詳細な説明】
【技術分野】
【０００１】
本発明は、画像処理装置、撮像装置、画像処理方法、及びプログラムに関する。
【背景技術】
【０００２】
従来、デジタルビデオカメラやデジタルカメラなどの撮像装置として、撮影している被写体画像確認及び撮影した後の記録画像確認のために、液晶や有機ＥＬのディスプレイ（パネル）を備えたものが普及している。また、電子ビューファインダー（ＥＶＦ）などの小型表示装置を備えたものや、テレビなどの外部表示装置に接続可能なものも普及している。
【０００３】
パネルやテレビには、カメラユーザが撮影したい被写体が、記録している画像・画質で表示される。カメラユーザは、この表示を見て撮影の確認を行う。しかし、カメラユーザは、意図的に暗い画像や明るい画像を記録する場合がある。例えば、暗い画像を記録したい場合、記録画像をパネルやテレビに表示すると、パネルやテレビの特性のため記録画像よりも輝度が下がった暗い画像に見えて階調の確認が困難な場合がある。また、パネルやテレビの輝度を上げる処理を実施すると、記録画像の階調が再現されず階調の確認が困難な場合がある。
【０００４】
また、テレビなどの外部表示装置がサポートする画像のビット幅（例えば、１２ビット）が、撮像装置が記録する画像のビット幅（例えば、８ビット）よりも多い場合がある。このような場合、記録画像と同じビット幅を持つ画像を撮像装置がテレビなどの外部表示装置に出力すると、外部表示装置の表示能力を十分に活用できない。
【０００５】
ビット幅を拡張する技術として、特許文献１が知られている。特許文献１によれば、画像信号処理回路でマトリックス演算を行う場合に、分解能低下による階調ムラや色ムラを改善するために、マトリックス演算前のガンマ処理回路で入力画像信号ビット幅よりもビット幅を増やす処理が行われる。そして、マトリックス演算後にビット幅を減らす処理が行われる。
【先行技術文献】
【特許文献】
【０００６】
【特許文献１】特開２００８−６７３４３号公報
【発明の概要】
【発明が解決しようとする課題】
【０００７】
しかしながら、特許文献１では、外部表示装置がサポートする画像のビット幅とは無関係にビット幅の拡張及び削減が行われるため、最終的なビット幅が外部表示装置がサポートするビット幅に一致する、或いは少なくとも近づくという保証が無い。従って、例えば階調確認用の撮影補助表示のために外部表示装置に画像を出力するような場合を考えたときに、外部表示装置の能力を十分に活用して階調確認を容易にすることができない。
【０００８】
本発明はこのような状況に鑑みてなされたものであり、表示装置に対応するビット幅を考慮して画像のビット幅を変換する技術を提供することを目的とする。
【課題を解決するための手段】
【０００９】
上記課題を解決するために、本発明は、表示装置に対応するビット幅を示す情報を取得するビット幅取得手段と、撮像手段により生成された画像データから得られる第１のビット幅を持つ第１の画像データに対して、前記表示装置のガンマ特性に対応する逆ガンマ補正であって、前記第１のビット幅を前記表示装置に対応するビット幅に変換する逆ガンマ補正を行う表示ガンマ処理手段と、前記表示ガンマ処理手段により逆ガンマ補正された画像データを前記表示装置に出力する出力手段と、を備えることを特徴とする画像処理装置を提供する。
【００１０】
なお、その他の本発明の特徴は、添付図面及び以下の発明を実施するための形態における記載によって更に明らかになるものである。
【発明の効果】
【００１１】
本発明によれば、表示装置に対応するするビット幅を考慮して画像のビット幅を変換する技術を提供することが可能となる。
【図面の簡単な説明】
【００１２】
【図１】第１の実施形態に係るビデオカメラ１０及び１５の構成を示すブロック図。
【図２】第２の実施形態に係るビデオカメラ２０の構成を示すブロック図。
【図３】（ａ）ビデオカメラ１０が実行する画像処理を示すフローチャート、（ｂ）ビデオカメラ１５が実行する画像処理を示すフローチャート。
【図４】ビデオカメラ２０が実行する画像処理を示すフローチャート、
【図５】種々のガンマ曲線を示す図。
【発明を実施するための形態】
【００１３】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１４】
［第１の実施形態］
本発明の画像処理装置をビデオカメラのような撮像装置に適用した実施形態について説明する。図１は、第１の実施形態に係るビデオカメラ１０及び１５の構成を示すブロック図である。ビデオカメラ１０及び１５は、記録画像のビット幅変換を行って階調確認用の表示用画像を生成する。図１（ａ）及び（ｂ）において、同一又は同様の機能を有するブロックには同一の符号を付す。
【００１５】
センサー１００は、ＣＣＤやＣＭＯＳなどの撮像素子である。撮影レンズ群（不図示）で入射光量や合焦の調節が行われる。センサー１００は、結像された撮影画像を光電変換して、更にアナログ・デジタル変換したデジタル信号を出力する。センサー１００の各画素には、Ｒ（赤）、Ｇ（緑）、Ｂ（青）のいずれかのカラーフィルタが、所定の配列（例えば、ベイヤー配列やハニカム配列）で配置されている。センサー１００は、色毎にＲＧＢ画像信号を出力する。また、センサー１００は、高速出力のために、数個の画素を加算して１個の画素として出力画像を縮小する画素加算処理を行ってＲＧＢ画像信号を出力する場合もある。
【００１６】
現像処理部１０１は、ＲＧＢ画像信号を受信し、まずＲＧＢのオフセット調整、ゲイン調整、現像ガンマ補正処理を行う。現像ガンマ補正処理は、図５（ａ）に示すような現像ガンマ補正曲線に従い、画像信号の入力値を出力値に変換する。現像ガンマ補正曲線は、センサー１００やレンズ群（不図示）などの特性を考慮して、ビデオカメラ１０及び１５のユーザが所望する記録画像を生成するための曲線である。曲線を変えることによって、ＴＶモニターで表示するための記録画像の生成や、映画フィルムの質感や階調を再現した記録画像の生成が可能である。次に、現像処理部１０１は、ＲＧＢ画像信号を輝度信号（Ｙ）と色差信号（Ｃｂ、Ｃｒ）に変換して出力する。また、現像処理部１０１は、レンズの歪曲収差の補正処理や、ビデオカメラ１０及び１５の防振処理やノイズリダクション処理なども行う。
【００１７】
符号化部１０２は、ＹＣＣ画像信号を受信し、記録フォーマットに合わせて圧縮符号化して記録画像を生成する。記録部１０３は、記録画像を記録媒体（不図示）に記録する。
【００１８】
逆現像ガンマ処理部１０４は、現像処理部１０１での現像ガンマ補正に対する逆特性ガンマの処理を行い、入力画像を線形な特性を持つ画像に変換する。逆特性ガンマは、図５（ａ）において破線で示す曲線である。但し、本実施形態では、逆現像ガンマ処理部１０４は、線形な特性への変換と同時にビット幅を「Ａ」から「Ｂ」に変換するために、図５（ｂ）に示す曲線を使用する。
【００１９】
ビット幅取得部１１５は、表示装置１０７がサポートする（表示装置１０７に対応する）ビット幅を取得する。表示装置１０７がサポートするビット幅は、ビデオカメラ１０及び１５のメモリ（不図示）に予め記録されていてもよいし、ユーザが操作部（不図示）の操作により指定してもよい。或いは、ビット幅取得部１１５が表示装置１０７にアクセスして、表示装置１０７からビット幅の情報を取得してもよい。
【００２０】
表示ガンマ処理部１０５は、表示装置１０７の表示パネルの持つガンマ特性の逆ガンマ特性の処理を行い、入力画像を非線形な特性を持つ画像に変換する。図５（ｃ）は、表示ガンマと逆表示ガンマの関係を示す。但し、本実施形態では、表示ガンマ処理部１０５は、非線形な特性への変換と同時にビット幅を「Ｃ」から「Ｄ」に変換するために、図５（ｄ）に示す曲線を使用する。ビット幅「Ｄ」は、ビット幅取得部１１５が取得した表示装置１０７がサポートするビット幅である。表示装置１０７が複数のビット幅をサポートする場合、ビット幅「Ｄ」は、例えば、複数のビット幅のうちの最大値である。しかしながら、最大値に限らず、表示装置１０７がサポートするビット幅であればいかなる値であってもよい。また、本実施形態では、「Ｂ」＝「Ｃ」である。
【００２１】
出力画像選択部１０６は、表示装置１０７に出力する表示画像を、逆現像ガンマ処理部１０４及び表示ガンマ処理部１０５の処理を実施した画像と実施しない画像とから選択する。
【００２２】
ここまでの各構成は、ビデオカメラ１０及び１５の両方が備える。これに対し、表示色域処理部１０８及び出力画像選択部１０９は、ビデオカメラ１５のみが備える。表示色域処理部１０８は、マトリックス演算などによって、色域の調整や画像の彩度・明度・輝度などを調整して色補正処理する。出力画像選択部１０９は、表示ガンマ処理部１０５に出力する画像を、表示色域処理部１０８の処理を実施した画像と実施しない画像とから選択する。
【００２３】
表示画像を表示装置１０７に表示する場合は、表示装置１０７の受信フォーマットに合わせてフォーマット変換された画像信号がパネルに送信され、画像が表示される。表示装置１０７が外部モニターである場合は、ＨＤＭＩ（登録商標）やＳＤＩ、コンポーネントやコンポジットなどの画像信号伝送フォーマットに合わせてフォーマット変換された画像信号が表示装置１０７へ出力される。
【００２４】
次に、図３を参照して、ビデオカメラ１０及び１５が実行する画像処理について説明する。図３（ａ）は、ビデオカメラ１０が実行する画像処理を示すフローチャートであり、図３（ｂ）は、ビデオカメラ１５が実行する画像処理を示すフローチャートである。図３（ａ）及び（ｂ）において、同一又は同様の処理が行われるステップには同一の符号を付す。
【００２５】
本実施形態では、ビデオカメラ１０又は１５で撮影中に表示装置１０７での階調確認を補助するための例について説明する。撮影開始前でも、ビデオカメラ１０又は１５の本体と表示装置１０７とが起動していれば、レンズを向けている被写体が現像されて表示装置１０７に表示される。本フローチャートの処理に先立ち、ビット幅取得部１１５は、表示装置１０７がサポートするビット幅を取得する。
【００２６】
図３（ａ）を参照すると、Ｓ１００で、ビデオカメラ１０は、撮影を開始する。Ｓ１０１で、現像処理部１０１は、センサーやレンズ特性を考慮した現像ガンマ補正処理を行い、ＲＧＢ画像信号を輝度信号（Ｙ）と色差信号（Ｃｂ、Ｃｒ）に変換して出力する。出力される画像データ（第２の画像データ）は、ビット幅「Ａ」（第２のビット幅）を持つ。
【００２７】
Ｓ１０２で、ビデオカメラ１０は、表示ガンマ処理を行うか否かを判定する。表示ガンマ処理を行う場合、処理はＳ１０３に進み、表示ガンマ処理を行わない場合、処理はＳ１０５に進む。
【００２８】
Ｓ１０３で、逆現像ガンマ処理部１０４は、現像ガンマ補正の逆ガンマ特性の演算処理を行い、入力画像を線形特性の画像に変換すると共に、ビット幅を「Ａ」から「Ｂ」に変換する（図５（ａ）及び（ｂ）参照）。従って、Ｓ１０３で得られる画像データ（第１の画像データ）は、ビット幅「Ｂ」（第１のビット幅）を持つ。一般的には、「Ｂ」＞「Ａ」であるが、図３（ａ）のように表示色域処理を行わない場合は、「Ａ」＝「Ｂ」であってもよい。図３（ｂ）のように表示色域処理を行う場合は、「Ｂ」＞「Ａ」であれば、色域調整処理の演算精度が向上する。
【００２９】
Ｓ１０４で、表示ガンマ処理部１０５は、表示装置１０７が有する表示ガンマ特性に対応する逆表示ガンマ特性処理（逆ガンマ補正）を行うと共に、ビット幅を「Ｃ」から「Ｄ」に変換する（図５（ｃ）及び（ｄ）参照）。ここで、「Ｃ」＝「Ｂ」である。また、「出力画像のビット幅「Ｄ」は、表示装置１０７がサポートする（表示装置１０７に入力可能な）ビット幅のいずれかであり、典型的には、その最大値である。表示装置１０７がサポートするビット幅は、６ビットなど少ない場合もあるが、通常８ビット以上であり、１０ビット、１２ビットなどの表示装置も普及している。
【００３０】
Ｓ１０５で、出力画像選択部１０６は、Ｓ１０２における判定に応じて、現像処理部１０１又は表示ガンマ処理部１０５が出力した画像を表示装置１０７に出力する。表示ガンマ処理部１０５が出力した画像が表示装置１０７に出力された場合、表示装置１０７がサポートするビット幅に合わせてビット幅の変換が行われた画像が表示される。その後、処理はＳ１０１に戻り、次のフレームについて同様の処理が繰り返される。本実施形態の構成の場合、Ｓ１０１からＳ１０５まで１フレーム時間以内で処理され、リアルタイムに階調確認用に変換した画像の表示が可能である。
【００３１】
続いて、図３（ｂ）について、図３（ａ）と異なる点を説明する。Ｓ２０１で、ビデオカメラ１０は、表示色域処理を行うか否かを判定する。表示色域処理を行う場合、処理はＳ２０２に進み、表示色域処理を行わない場合、処理はＳ１０４に進む。Ｓ２０２で、表示色域処理部１０８は、表示色域処理を行う。Ｓ２０３の処理は、Ｓ１０４の処理とほぼ同じであるが、処理対象画像は、Ｓ２０１における判定結果に応じて、表示色域処理部１０８の処理が施された、又は施されていない画像である。
【００３２】
なお、センサー１００の駆動周期と表示装置１０７の駆動周期の同期を制御するブロックは図に記載していないが必要であり、周期の制御と、遅延時間の制御をセンサー１００と表示装置１０７で各々制御できる構成が望ましい。具体的には、センサー１００と表示装置１０７の同期信号の遅延量を計測し、センサー１００の駆動周期を基準として、表示装置１０７の駆動周期の同期信号の遅延量が所定の範囲内に入るよう調節する。
【００３３】
また、図に記載していないが、各ブロックを制御するＣＰＵなどの制御ブロックは必要であり、特に現像処理や逆現像ガンマ処理、表示ガンマ処理などの設定調整などを行う必要がある。
【００３４】
また、現像処理部１０１は、ＲＧＢ画像信号ではなくＹＣｂＣｒ画像信号を受信する場合もあり、ＹＣｂＣｒ画像信号を受信した場合は、一旦ＲＧＢ画像信号に変換して現像処理を実施する。或いは、ＲＧＢ画像信号での現像処理を省く場合もある。
【００３５】
以上説明したように、第１の実施形態によれば、ビデオカメラ１０及び１５は、表示装置１０７に出力する画像のビット幅を、表示装置１０７がサポートするビット幅に変換する。これにより、表示装置１０７の表示能力を有効に活用することができるようになる。
【００３６】
［第２の実施形態］
第２の実施形態では、記録画像のビット幅変換を行って階調確認用の表示用画像を生成する際に、特に階調を確認したい画像領域を切り出してダイナミックレンジ拡大処理する構成について説明する。図２は、第２の実施形態に係るビデオカメラ２０の構成を示すブロック図である。図２において、図１と同一又は同様の機能を有するブロックには、図１と同一の符号を付す。
【００３７】
ビデオカメラ２０は、第１の実施形態の構成に加えて、画像切り出し部１１０、ダイナミックレンジ調整部１１１、及び重畳部１１２を備える。画像切り出し部１１０は、逆現像ガンマ処理した画像から、指定された領域の画像を切り出してダイナミックレンジ調整部１１１に送信する。領域の指定は、表示装置１０７などに表示されるユーザインターフェイスから指定する方法や、顔や物体を検出して指定する方法などがある。
【００３８】
ダイナミックレンジ調整部１１１は、切り出し画像の輝度平均値を求める。次に輝度平均値を中心値として、指定されたダイナミックレンジ範囲まで輝度値の範囲を拡大可能なガンマ曲線（ガンマカーブ）を算出し、ダイナミックレンジ拡大ガンマ処理を行う。その際に、ビット幅は「Ｅ」から「Ｆ」に変換される。本実施形態では、「Ｃ」＝「Ｅ」であり、「Ｄ」＝「Ｆ」である。
【００３９】
重畳部１１２は、ダイナミックレンジ調整部１１１で処理した画像を表示ガンマ処理部１０５で処理した画像の所定の位置に重畳して表示装置１０７に出力する。表示画像を表示装置１０７に表示する場合は、表示装置１０７の受信フォーマットに合わせてフォーマット変換された画像信号がパネルに送信され、画像が表示される。表示装置１０７が外部モニターである場合は、ＨＤＭＩ（登録商標）やＳＤＩ、コンポーネントやコンポジットなどの画像信号伝送フォーマットに合わせてフォーマット変換された画像信号が表示装置１０７へ出力される。
【００４０】
次に、図４を参照して、ビデオカメラ２０が実行する画像処理について説明する。図４において、図３と同一又は同様の処理が行われるステップには、図３と同一の符号を付す。
【００４１】
本実施形態では、ビデオカメラ２０で撮影中に表示装置１０７での階調確認を補助するための例について説明する。撮影開始前でも、ビデオカメラ２０の本体と表示装置１０７とが起動していれば、レンズを向けている被写体が現像されて表示装置１０７に表示される。本フローチャートの処理に先立ち、ビット幅取得部１１５は、表示装置１０７がサポートするビット幅を取得する。
【００４２】
Ｓ３０１で、ビデオカメラ２０は、階調を特に確認したい画像領域があるかどうかを判定する。階調確認したい画像領域がある場合、処理はＳ３０２に進み、そうでない場合、処理はＳ３０５に進む。
【００４３】
Ｓ３０２で、画像切り出し部１１０は、ダイナミックレンジ拡大したい画像領域を設定し、入力画像の部分領域（部分画像データ）を取得する（部分画像取得処理）。領域の指定は、表示装置１０７などに表示されるユーザインターフェイスから指定する。又は、予め顔や物体などの特徴画像をダイナミックレンジ拡大領域と設定し、特徴画像を検出して領域指定する。
【００４４】
Ｓ３０３で、画像切り出し部１１０は、切り出し領域画像の輝度平均値を算出する。Ｓ３０４で、ビデオカメラ２０は、Ｓ３０３で算出された輝度平均値を中心にダイナミックレンジ拡大用のガンマ曲線を図５（ｅ）や図５（ｆ）に示す例のように生成する。ダイナミックレンジ拡大用のガンマ曲線は、輝度平均値を中心にして、入力レンジ幅と出力レンジ幅を任意に変えることが可能であり、ＣＰＵ（不図示）などの制御ブロックで設定する。或いは、ダイナミックレンジ拡大用のガンマ曲線は、画像のＲＧＢ各成分の平均値を中心にして、図５（ｅ）や図５（ｆ）に示す例のように生成してもよい。次に、ダイナミックレンジ調整部１１１は、生成されたガンマ曲線に基づき、ダイナミックレンジ拡大処理を行うと共に、ビット幅を「Ｅ」から「Ｆ」に変換する。
【００４５】
Ｓ３０５の処理は、図３（ａ）のＳ１０４の処理とほぼ同じである。ここでの処理対象画像は、図２の出力画像選択部１０９から出力される画像である。
【００４６】
Ｓ３０６で、重畳部１１２は、Ｓ３０１で「ＹＥＳ」と判定されていた場合に、全体画像にダイナミックレンジ拡大画像を重畳する。この重畳では、切り出し領域の画像のみをダイナミックレンジ拡大した画像に置き換えてもよい。或いは、元の画像とダイナミックレンジ拡大した画像を比較確認したい場合は、切り出し領域を示す枠線を切り出し領域に重畳した上で、ダイナミックレンジ拡大した画像を並べて重畳してもよい。また、ダイナミックレンジ拡大した画像は、切り出し領域をダイナミックレンジ拡大処理後、画素数拡大して表示してもよい。
【００４７】
Ｓ３０７で、重畳部１１２は、Ｓ３０１での判定結果に応じて、重畳処理が実施された、又は実施されていない画像を、表示装置１０７に出力する。このように、必要に応じて、表示装置１０７への出力前に重畳処理が行われるため、表示装置１０７には、切り出し領域の画像が重畳された画像が表示される。その後、処理はＳ１０１に戻り、次のフレームについて同様の処理が繰り返される。本実施形態の構成の場合、Ｓ１０１からＳ３０７まで１フレーム時間以内で処理され、リアルタイムに階調確認用に変換した画像の表示が可能である。
【００４８】
以上説明したように、第２の実施形態によれば、ビデオカメラ２０は、記録画像のビット幅変換を行って階調確認用の表示用画像を生成する際に、特に階調を確認したい画像領域を切り出してダイナミックレンジ拡大処理する。これにより、階調の確認が一層容易になる。
【００４９】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015122585.tif 000003
【図２】
2015122585.tif 000004
【図３】
2015122585.tif 000005
【図４】
2015122585.tif 000006
【図５】
2015122585.tif 000007